(57)【要約】【課題】デザイン性に優れた加熱蒸散器を提供する。【解決手段】少なくとも薬液ボトル１３の吸液芯２３を加熱する加熱部２１が設けられた下部ボディ５と、その下部ボディに装着された上部ボディとなる蒸散口９を備えた透明又は半透明のカバー３とで構成する一方、そのカバー３内部に設けられた取付部３１に、各種形状に作られ形状全体が発光する蓄光部材４９を１個又は複数個取付け、カバー３を透して見えるようにする。【選択図】  図１
2005253320.tif 000002
【特許請求の範囲】
【請求項１】
少なくとも薬液ボトルの吸液芯を加熱する加熱部が設けられた下部ボディと、その下部ボディに装着され上部ボディとなる蒸散口を備えた透明又は半透明のカバーとを有し、
そのカバー内部に設けられた取付部に、各種形状に作られ形状全体が発光する蓄光部材を１個又は複数個取付けるようにしたことを特徴とする加熱蒸散器。
【請求項２】
前記カバーには、前記各種形状に作られる蓄光部材と組合せて見るための背景模様がシボ加工によって施されていることを特徴とする請求項１記載の加熱蒸散器。
【請求項３】
前記蓄光部材は、前記加熱部より下位に配置されていることを特徴とする請求項１記載の加熱蒸散器。
【請求項４】
前記蓄光部材は、取付部から外れても前記蒸散口から外へ飛び出すことのない大きさに形成されていることを特徴とする請求項１記載の加熱蒸散器。
【請求項５】
前記カバー内部の取付部は、前記加熱部とその加熱部の電気部品とを仕切る遮蔽板の上面に設けられていることを特徴とする請求項１記載の加熱蒸散器。
【発明の詳細な説明】
【技術分野】
【０００１】
本発明は、蚊とり用の薬剤を加熱によって部屋の四方へ蒸散させる加熱蒸散器に関する。
【背景技術】
【０００２】
一般に蚊とり用の薬剤を加熱によって部屋の四方へ蒸散させる加熱蒸散器は、電気蚊とり器の呼び名で市場に多数出まわっており、販売が頭うちとなっているのが現状である。
【０００３】
このために、消費者の購買意欲を高めるために、加熱蒸散器本来の特長を備える外に、見た目でもアピールできる商品開発が要求され既に公知となっている。
【０００４】
例えば、透明又は半透明の外層カバーの内周面に、月あるいは星をかたどった凹部を設け、その月や星が集光性蛍光染料によって浮き上がるようにすることで、それらが使用中に目視できるようにしたものがある。
【０００５】
また、透明又は半透明にした器体の上部体内側に、薄肉にした文字や模様等の表示部を設ける一方、内部に設けられたネオン管によってその表示部が外から目視できるようにしたものがある。
【０００６】
また、カバーの外周面に各種形状に作られたシールを貼り付けることで装飾性をアピールしたものがある。
【特許文献１】特開２００２−３５５９３４号公報
【特許文献２】特開２００３−１９９４７４号公報
【特許文献３】実用新案登録第３０６０５６４号公報
【発明の開示】
【発明が解決しようとする課題】
【０００７】
見た目で、アピールできる装飾性を備えた前記手段の内、外層カバーの内側内周面に、月、あるいは、星をかたどった凹部を設ける第１の手段にあっては、金型の製作上、限られた単純な形状のものしかできない、という不具合を有する。この場合、複雑な形状のものも対応は可能ではあるが、その分、金型の製作コストが高くなる等の新たな問題が起きる。
【０００８】
また、器体の上部体に薄肉にした表示部を設ける第２の手段にあっては、前記した第１の手段の不具合に加えて、表示部を見るためのネオン管を必要とする等部品点数の増加につながる。
【０００９】
また、カバーの外周面にシールを貼り付ける第３の手段にあっては、外周面の清掃時に剥がれたり、磨り減る等、使用している内に見栄が悪くなる等の不具合を有し、いずれの手段も問題があった。
【００１０】
そこで、本発明は金型に影響されることなく複雑な形状のものが作れるようにすると共に、長期間に亘って安定した装飾性が得られるデザイン性に優れた加熱蒸散器を提供することを目的としている。
【課題を解決するための手段】
【００１１】
前記目的を達成するために本発明にあっては、少なくとも薬液ボトルの吸液芯を加熱する加熱部が設けられた下部ボディと、その下部ボディに装着され上部ボディとなる蒸散口を備えた透明又は半透明のカバーとを有し、
そのカバー内部に設けられた取付部に、各種形状に作られ形状全体が発光する蓄光部材を１個又は複数個取付けるようにしたことを特徴とする。
【発明の効果】
【００１２】
本発明の加熱蒸散器によれば、使用時に部屋の光にあたった蓄光部材は、カバーの内部において全体が発光し、それを外からカバーを透して見ることができる。
【００１３】
また、蓄光部材は独立して作られているため、金型等に左右されることなく魚を初めとして、例えば、天体や動，植物等の複雑な形状のものも作ることができると共に、カバーを作る金型の製作が容易となるメリットが得られる。
【発明を実施するための最良の形態】
【００１４】
第１には、前記カバーに、前記各種形状に作られる蓄光部材と組合せて見るための背景模様をシボ加工によって施し、組合せ模様によってデザイン性の向上を図る。
【００１５】
第２には、前記蓄光部材を、前記加熱部より下位に配置し、蒸散する薬剤と加熱部の熱の影響を直接受けないようにする。
【００１６】
第３には、前記蓄光部材を、取付部から外れても前記蒸散口から外へ飛び出すことのない大きさに形成し、誤って蒸散器を蹴飛ばしても外へ飛び出さないようにする。
【００１７】
第４には、前記カバー内部の取付部を、前記加熱部とその加熱部の電気部品とを仕切る遮蔽板の上面に設けることで、新たな取付部を作らないで済むようにする。
【実施例１】
【００１８】
以下、図１乃至図７の図面を参照しながらこの発明の実施の形態について具体的に説明する。
【００１９】
図１は本発明にかかる加熱蒸散器の概要切断面、図２はカバーを取外して上から見た概要平面図をそれぞれ示している。
【００２０】
加熱蒸散器１は、上下に分割可能な下部ボディ３とその下部ボディ３上方の上部ボディとなるカバー５とで蒸散器本体７が形成されている。
【００２１】
カバー５は、そのカバー５を透して内部が見えるよう半透明又は透明な合成樹脂材によって金型成形され、そのカバー５の上部には花びら状に開口した蒸散口９が設けられている。
【００２２】
下部ボディ３は、一体に連続成形され上方に立上がる主体筒部１１を有している。主体筒部１１の第１空間１１ａは薬液ボトル１３のボトル胴部１３ａが収納される広さに設定されている。主体筒部１１の第２空間１１ｂは薬液ボトル１３の首部１３ｂが螺合されるねじ部１５を備えたボトル取付部となっている。
【００２３】
主体筒部１１の上方には図４に示すように前記主体筒部１１に設けられた取付けボス部１７にビス１９によって加熱部２１が取付けられている。加熱部２１は中心部位に前記薬液ボトル１３の吸液芯２３を加熱する筒状の面状ヒータ２５を有している。
【００２４】
面状ヒータ２５は、下部ボディ３に設けられたメインスイッチ２７の操作により電源コード２９からの電源がオン又はオフに制御されるようになっている。メインスイッチ２７の上方で、かつ、前記加熱部２１の下方には遮蔽板３１が設けられている。遮蔽板３１は、前記加熱部２１の電気部品となる抵抗３３等を、前記加熱部２１からの熱の影響を小さく抑えるよう設けられたもので、図２，図３に示すように平面から見て半円形の形状となっている。また、裏側面には前記主体筒部１１の外周面と接触し合う支脚部３５が下方へ向けて延長されている。
【００２５】
遮蔽板３１の２箇所には、締付孔３７，３９が設けられ、一方の締付孔３７は図４に示すように前記主体筒部１１に設けられた固定ボス部４１と前記カバー５から延長されたカバーボス部４３と一緒に締付ビス４５によって３者一体に固定支持されている。
【００２６】
遮蔽板３１の他方の締付孔３９は、前記主体筒部１１の固定ボス部４５から立上がる固定ピン４７と係合し合う構造となっている。
【００２７】
遮蔽板３１は、遮蔽機能の外に、例えば、部屋の光が当ることで発光する蓄光部材４９の取付部を兼ねる形状となっている。具体的には、遮蔽板３１の上面に上下に貫通した貫通孔５１が設けられることで形成されている。
【００２８】
一方、蓄光部材４９は各種形状、例えば、魚を初めとして、星や月等の天体や動，植物であっても良く、この実施形態では後述する背景模様との関係もあってイルカに作られている。
【００２９】
蓄光部材４９は、蓄光顔料を混練した合成樹脂材が使用され、所定の厚みと、前記カバー５に設けられた蒸散口９から外へ飛び出すことのない大きさに成形されている。蓄光部材４９の裏面は接着面５３となっていて裏面中央部位には取付けピン５５が設けられている。
【００３０】
したがって、取付けピン５５を前記遮蔽板３１の貫通孔５１へ上から挿入することで蓄光部材４９の接着固定が可能となっている。
【００３１】
この場合、取付け手段となる一方の取付けピン５５を遮蔽板３１の上面に、他方の貫通孔５１を蓄光部材４９にそれぞれ設ける手段とすることも可能である。
【００３２】
また、蓄光部材４９の取付部は、必ずしも遮蔽板３１に特定されることなく、例えば、主体筒部１１の外周に蓄光部材取付け用の取付部を設ける手段としてもよい。
【００３３】
一方、前記カバー５には図６に示すように蓄光部材４９と組合せて見るための背景模様５７がシボ加工によって施されている。シボ加工は前記カバー５の内側あるいは外側、いずれの側であってもよい。
【００３４】
背景模様５７は、蓄光部材４９がイルカの場合には海をイメージする波模様となる。
【００３５】
あるいは、図７に示すように蓄光部材４９が星の場合には、ビル等の建物をイメージする都会の風景模様となる。
【００３６】
したがって、このように構成された加熱蒸散器１によれば、使用時に部屋の光にあたった蓄光部材４９は、カバー５の内部において全体が発光し、それを外からカバー５を透して見えるようになる。
【００３７】
この場合、蓄光部材４９は専用の取付部を設けることなく取付けが行なえると共に背景模様５７と組合わさることで、デザイン性、商品性が大幅に向上するようになる。
【００３８】
また、加熱部２１より下位に位置する蓄光部材４９は、蒸散する薬剤と加熱部２１の熱の影響を直接受けることがなくなり、長期間に亘り安定して発光するようになる。
【００３９】
また、誤って蒸散器本体７を蹴飛ばした際に、万一、蓄光部材４９が外れたとしても外へ飛び出す等の不具合は発生しない。
【００４０】
一方、蓄光部材４９は独立して作られているため、金型等に左右されることなく、魚を初めとして、例えば、天体や動，植物等の複雑な形状のものが容易に作れるようになる。また、カバー５を作る金型の製作が容易となるメリットが得られる。
【図面の簡単な説明】
【００４１】
【図１】本発明にかかる加熱蒸散器全体の概要切断面図。
【図２】カバーを取外した蒸散器本体の概要平面図。
【図３】遮蔽板の概要平面図。
【図４】主体筒部に遮蔽板を取付ける状態を示した概要切断面図。
【図５】加熱蒸散器の概要平面図。
【図６】カバーに波模様のシボ加工を施した状態の概要斜視図。
【図７】カバーにビルの風景模様のシボ加工を施した状態の概要斜視図。
【符号の説明】
【００４２】
３…下部ボディ
５…カバー
７…蒸散器本体
９…蒸散口
１１…主体筒部
１３…薬液ボトル
２１…加熱部
３１…遮蔽板（取付部）
４９…蓄光部材
５７…背景模様
【図１】
2005253320.tif 000003
【図２】
2005253320.tif 000004
【図３】
2005253320.tif 000005
【図４】
2005253320.tif 000006
【図５】
2005253320.tif 000007
【図６】
2005253320.tif 000008
【図７】
2005253320.tif 000009